【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
（ｉ）シス，トランス−１，３−及び−１，４−シクロヘキサンジメチルエーテル部分を含むエポキシ樹脂材料（Ａ）と（ｉｉ）分子当たり２個又はそれ以上の、エポキシ基と反応性である、反応性水素原子を有する化合物を含む反応性化合物（Ｂ）との少なくとも１種の反応生成物を含むアダクト。
【請求項２】
（ｉ）前記エポキシ樹脂材料（Ａ）がシス−１，３−シクロヘキサンジメタノールのジグリシジルエーテル、トランス−１，３−シクロヘキサンジメタノールのジグリシジルエーテル、シス−１，４−シクロヘキサンジメタノールのジグリシジルエーテル及びトランス−１，４−シクロヘキサンジメタノールのジグリシジルエーテルを含むか；（ｉｉ）前記エポキシ樹脂材料（Ａ）がシス−１，３−シクロヘキサンジメタノールのジグリシジルエーテル、トランス−１，３−シクロヘキサンジメタノールのジグリシジルエーテル、シス−１，４−シクロヘキサンジメタノールのジグリシジルエーテル、トランス−１，４−シクロヘキサンジメタノールのジグリシジルエーテル及びそれらの１種若しくはそれ以上のオリゴマーを含むか；（ｉｉｉ）前記エポキシ樹脂材料（Ａ）がシス−１，３−シクロヘキサンジメタノールのジグリシジルエーテル、トランス−１，３−シクロヘキサンジメタノールのジグリシジルエーテル、シス−１，４−シクロヘキサンジメタノールのジグリシジルエーテル、トランス−１，４−シクロヘキサンジメタノールのジグリシジルエーテル、シス−１，３−シクロヘキサンジメタノールのモノグリシジルエーテル、トランス−１，３−シクロヘキサンジメタノールのモノグリシジルエーテル、シス−１，４−シクロヘキサンジメタノールのモノグリシジルエーテル及びトランス−１，４−シクロヘキサンジメタノールのモノグリシジルエーテルを含むか；又は前記エポキシ樹脂材料（Ａ）がシス−１，３−シクロヘキサンジメタノールのジグリシジルエーテル、トランス−１，３−シクロヘキサンジメタノールのジグリシジルエーテル、シス−１，４−シクロヘキサンジメタノールのジグリシジルエーテル、トランス−１，４−シクロヘキサンジメタノールのジグリシジルエーテル、シス−１，３−シクロヘキサンジメタノールのモノグリシジルエーテル、トランス−１，３−シクロヘキサンジメタノールのモノグリシジルエーテル、シス−１，４−シクロヘキサンジメタノールのモノグリシジルエーテル、トランス−１，４−シクロヘキサンジメタノールのモノグリシジルエーテル及びそれらの１種若しくはそれ以上のオリゴマーを含む請求項１に記載のアダクト。
【請求項３】
前記エポキシ樹脂材料（Ａ）が制御された量のシス−１，３−シクロヘキサンジメタノールのモノグリシジルエーテル、トランス−１，３−シクロヘキサンジメタノールのモノグリシジルエーテル、シス−１，４−シクロヘキサンジメタノールのモノグリシジルエーテル及びトランス−１，４−シクロヘキサンジメタノールのモノグリシジルエーテルを含み；そして前記エポキシ樹脂材料（Ａ）が、エポキシ樹脂材料（Ａ）の総重量に基づき、０．１〜９０重量％のシス−１，３−シクロヘキサンジメタノールのモノグリシジルエーテル、トランス−１，３−シクロヘキサンジメタノールのモノグリシジルエーテル、シス−１，４−シクロヘキサンジメタノールのモノグリシジルエーテル及びトランス−１，４−シクロヘキサンジメタノールのモノグリシジルエーテルを含む請求項２に記載のアダクト。
【請求項４】
前記反応性化合物（Ｂ）が（ａ）ジ−又はポリフェノール、（ｂ）ジ−又はポリカルボン酸、（ｃ）ジ−又はポリメルカプタン、（ｄ）ジ−又はポリアミン、（ｅ）第一モノアミン、（ｆ）スルホンアミド、（ｇ）アミノフェノール、（ｈ）アミノカルボン酸、（ｉ）フェノール性ヒドロキシル含有カルボン酸、（ｊ）スルファニルアミド及び（ｋ）それらの任意の組合せのうちの少なくとも１つを含む請求項１に記載のアダクト。
【請求項５】
前記反応性化合物（Ｂ）がアンモニアを含み；前記アンモニアが液体アンモニア（ＮＨ3）又は水酸化アンモニウム（ＮＨ4ＯＨ）であり；エポキシ樹脂材料（Ａ）に対する反応性化合物（Ｂ）の比が２：１〜１００：１［（反応性化合物（Ｂ）中の反応性水素原子の当量）対（エポキシ樹脂材料（Ａ）中のエポキシ基の当量）］である請求項１に記載のアダクト。
【請求項６】
前記アダクトがオリゴマー構造を含むか、又は前記アダクトが分岐した又は架橋したオリゴマー構造を含む請求項１に記載のアダクト。
【請求項７】
（ｉ）シス，トランス−１，３−及び−１，４−シクロヘキサンジメチルエーテル部分を含むエポキシ樹脂材料（Ａ）、（ｉｉ）分子当たり２個又はそれ以上の、エポキシ基と反応性である、反応性水素原子を有する化合物を含む反応性化合物（Ｂ）並びに（ｉｉｉ）前記エポキシ樹脂材料（Ａ）以外の１種又はそれ以上のエポキシ樹脂を含む樹脂化合物（Ｃ）の少なくとも１種の反応生成物を含むアダクトの少なくとも１種の反応生成物を含むアダクト。
【請求項８】
（ｉ）シス，トランス−１，３−及び−１，４−シクロヘキサンジメチルエーテル部分を含む少なくとも１種のエポキシ樹脂材料（Ａ）と（ｉｉ）分子当たり２個又はそれ以上の、エポキシ基と反応性である、反応性水素原子を有する化合物を含む反応性化合物（Ｂ）とを反応させることを含んでなるアダクトの製造方法。
【請求項９】
前記エポキシ樹脂材料（Ａ）を、（ｉ）反応性化合物（Ｂ）と直接一緒に混合するか；（ｉｉ）反応性化合物（Ｂ）にインクレメント段階で添加するか；又は（ｉｉｉ）反応性化合物（Ｂ）に連続的に添加する請求項８に記載の方法。
【請求項１０】
前記エポキシ樹脂材料（Ａ）が少なくとも１種の溶剤を更に含み；そして／又は反応性化合物（Ｂ）が少なくとも１種の溶剤を更に含む請求項８に記載の方法。
【請求項１１】
（ａ）アダクト及び（ｂ）樹脂化合物（Ｄ）を含んでなる硬化性エポキシ樹脂であって、前記アダクトが（ｉ）シス，トランス−１，３−及び−１，４−シクロヘキサンジメチルエーテル部分を含むエポキシ樹脂材料（Ａ）の少なくとも１種の反応生成物と（ｉｉ）分子当たり２個又はそれ以上の、エポキシ基と反応性である、反応性水素原子を有する化合物を含む反応性化合物（Ｂ）を含み；前記樹脂化合物（Ｄ）が前記エポキシ樹脂材料（Ａ）以外の１種又はそれ以上のエポキシ樹脂を含む硬化性エポキシ樹脂組成物。
【請求項１２】
前記アダクト中の反応性化合物（Ｂ）が脂肪族若しくは脂環式ジアミン、脂肪族若しくは脂環式ポリアミン、脂肪族若しくは脂環式ジカルボン酸、脂肪族若しくは脂環式アミノカルボン酸、ジアミノカルボン酸、アミノジカルボン酸、ジアミノジカルボン酸又はそれらの任意の組合せを含み；前記アダクトと前記樹脂化合物（Ｄ）の比が０．６０：１〜１．５０：１［（アダクト中の反応性水素原子の当量）対（樹脂化合物（Ｄ）中のエポキシ基の当量）］である請求項１１に記載の組成物。
【請求項１３】
硬化剤及び／又は硬化触媒を更に含み；そして／又は前記アダクトが線状連鎖延長剤を含む請求項１１に記載の組成物。
【請求項１４】
前記線状連鎖延長剤が（ｉ）シス及びトランス−１，３−及び−１，４−シクロヘキサンジメタノールのジグリシジルエーテルを含むエポキシ樹脂材料（Ａ）と（ｉｉ）第一モノアミン又は第二ジアミンを含む反応性化合物（Ｂ）との反応生成物である請求項１３に記載の組成物。
【請求項１５】
請求項１２に記載の硬化性エポキシ樹脂組成物の硬化方法。
【請求項１６】
前記方法が、前記硬化性エポキシ樹脂組成物を部分硬化させてＢ段階生成物を形成し、続いてＢ段階生成物をその後に完全に硬化させることを含む請求項１５に記載の方法。
【請求項１７】
請求項１５に記載の方法によって製造された硬化性エポキシ樹脂。
【請求項１８】
コーティング；電気用若しくは構造用の積層体；電気用若しくは構造用の複合体；フィラメント巻き線；成形品；注型品；及びカプセル封入品のうちの少なくとも１つである請求項１７に記載の硬化エポキシ樹脂を含む物品。